(57)【要約】      （修正有）【課題】織りベルトをミシンで縫合することや粘着することが必要しない織りベルトバックルを提供する。【解決手段】挟みシート３３の噛合いと、噛合い突出の噛合い係止とにより、織りベルト４をミシンで縫合することや粘着することが必要としない織りベルトバックルであり、主として、挿入部３１と係合部３２とに、それぞれ、挟みシートが挿着されるための係合貫通穴３１１，３２１が設けられ、当該挟みシートは、一端が封止端３３４で、もう一端が開放端３３５で、当該開放端の上、下に、それぞれ、互いにずれるように、対応する噛合い突出３３１と係止穴３３３とが設置され、当該噛合い突出は、斜面状で、当該織りベルトを噛合うもので、当該挟みシートの上、下表面に、係合ブロック３３２が設けられ、当該係合ブロックは、開放端から封止端へ向かい、角度が縮小して行くように形成される。【選択図】図５
0003113720.tif 000002
【実用新案登録請求の範囲】
【請求項１】
主として、挿入部と、係合部と、アセンブリーと、挟みシートとからなり、当該挿入部の末端に、連結バックルが連結され、当該係合穴と異なるもう一端に、挟みシートが挿着されるための挿着槽が設けられ、当該挿着槽の上、下に、係合貫通穴が設けられ、
一端が封止端で、もう一端が開放端で、当該開放端の上、下に、それぞれ、当該織りベルトを噛合う噛合い突出が設けられ、上、下表面に係合ブロックが設けられる挟みシート、が含有される、
ことを特徴とする織りベルトバックルの構成。
【請求項２】
挟みシートの開放端の噛合い突出は、斜面状である、ことを特徴とする請求項１に記載の織りベルトバックルの構成。
【請求項３】
当該挟みシートの上、下に設けられる噛合い突出は、互いにずれるように設置される、ことを特徴とする請求項１に記載の織りベルトバックルの構成。
【請求項４】
当該挟みシートの上、下に設けられる噛合い突出は、係合貫通穴と対応する位置に設置される、ことを特徴とする請求項１に記載の織りベルトバックルの構成。
【請求項５】
当該挟みシートの上、下に設けられる噛合い突出は、必要に応じて、増加できる、ことを特徴とする請求項１に記載の織りベルトバックルの構成。
【請求項６】
当該挟みシートの上、下に設けられる噛合い突出は、長細い形状に設置される、ことを特徴とする請求項１に記載の織りベルトバックルの構成。
【考案の詳細な説明】
【技術分野】
【０００１】
本考案は、織りベルトバックルの構成に関し、特に、挟みシートの噛合い、そして、噛合い突出の噛合い係止により、織りベルトをミシンで縫合することや粘着することが必要しない織りベルトバックルに関する。
【背景技術】
【０００２】
一般の、従来の織りベルトバックルは、図１のように、主として、係合部１と挿入部２からなり、挿入部２に、係合部１の挿着槽１１に挿入して組み立てるスライド２１が設けられ、また、当該係合部１と挿入部２の末端には、それぞれ、織りベルトを挿着するための織りベルトバックルリング１２、２２が設けられ、このような構造により、織りベルトバックルが組み立てられて利用できるが、次の欠点がある。
【０００３】
１、一般の織りベルトは、織りベルトバックルリング１２、２２に挿着してから、ミシンで縫合するか粘着するかで固定することで、組立てが容易ではなく、人件費が掛かる。
【０００４】
２、一般の織りベルトバックルリング１２、２２は、一体成形で、係合部１と挿入部２の末端に形成され、このような構造は、両端に織りベルトを挿着する時しか使用できず、しかしながら、織りベルトバックルは、例えば、バッジや携帯電話ハンギング
デコレーション等の用途に、大幅に適用されるため、従来のものは、実用性が足らず、ユーザーの多様化要求を満足できない。
【０００５】
３、一般の織りベルトバックルリング１２、２２は、一体成形で、係合部１と挿入部２の末端に形成されるため、その何れかの一つの部品が損害すると、織りベルトバックル全体を交換しなければならないから、コストが高く付く。
【０００６】
そのため、図２乃至４のような織りベルトバックル３が提案され、主として、挿入部３１と係合部３２には、それぞれ、挟みシート３３が挿着されて係止される係合貫通穴３１１、３２１が設けられ、当該挟みシート３３は、一端が封止端３３４で、もう一端が開放端３３５であり、上、下に、それぞれ、互いにずれるように、当該織りベルト４を噛合うための噛合い錐柱３３１が設置され、これにより、挿着槽に挿入され、また、挟みシート３３の上、下表面に設けられる係合ブロック３３２により、挿入部３１と係合部３２の係合貫通穴３１１、３２１に係合され（当該挟みシート３３が圧力により挿入部３１や係合部３２の中に挿着され、その一端の封止端３３４の弾性により付勢されるため、係合ブロック３３が、挿入部３１、係合部３２の係合貫通穴３１１、３２１に係合される）、これにより、上記のミシンで縫合や粘着の不便を解消し、当該噛合い錐柱３３１と係止穴３３３により、当該織りベルト４を噛合うが、当該噛合い錐柱３３１が円錐状であるため、一般の織りベルトにおいて、噛合うことができ、しかし、編み密度が大きい織りベルトであれば、その鋭い錐体が織りベルトを挿入することにより破壊され、そして、係止が不十分になり、或いは、当該織りベルトがより滑りやすい表面を持つか滑りやすい材質で作製される場合、当該円錐状の噛合い錐柱３３１は、点の係止になるため、係止する噛合いの力が不足になり、力で引っ張ると、当該織りベルトか織りベルトバックルから外れる恐れがある。
【０００７】
本考案者は、バックルやアセンブリーに対する長年の設計や作製の経験に基づいて、既存の織りベルトバックルについて、積極的に研究をし、何度もの試験を経て、本考案を提案した。
【考案の開示】
【考案が解決しようとする課題】
【０００８】
本考案の主な目的は、挟みシートの噛合い、そして斜面状の噛合い突出を設置することにより、堅く係合できる織りベルトバックルを提供する。
【課題を解決するための手段】
【０００９】
以下、図面を参照しながら、本考案の構成や特徴を詳しく説明する。
【００１０】
図５乃至７を参照しながら、主として、挿入部５１と係合部５２は、それぞれ、挟みシート５３を挿着するための係合貫通穴５１１、５２１が設けられ、当該挟みシート５３は、一端が封止端５３１で、もう一端が開放端５３２であり、当該開放端５３２は、上、下に、それぞれ、互いにずれるように、噛合い突出５３３と係止穴５３４とが設けられ、当該噛合い突出５３３は、斜面状で、当該織りベルト６を噛合うためのもので、当該挟みシート５３の上、下表面に、係合ブロック５４が設けられ、当該係合ブロック５４は、開放端５３２から封止端５３１へ向かい、角度が縮小して行くように、形成される。
【考案を実施するための最良の形態】
【００１１】
織りベルト６を挟みシート５３の開放端５３２に位置させ、当該挟みシート５３の封止端５３１を挿入部５１、係合部５２の挿着槽へ挿入することにより、当該係合ブロック５３５が係合貫通穴５１１、５２１に係止され、挟みシート５３の開放端５３２は、挿着槽の位置付けにより、封止状になり、また、上、下に斜面状の互いずれるような噛合い突出５３３と、対応するように設置される係止穴５３４との互いに噛合うことにより、位置付けられて固定され、当該係合ブロック５３５は、挟みシート５３が挿着槽に挿入されたら、挟みシート５３の弾性に付勢されることにより、挿入部５１と係合部５２の係合貫通穴５１１、５２１に係止され、また、当該噛合い突出５３３と織りベルト６とは、面対面で接触し、また、その斜面の係止により、噛合い突出５３３が、織りベルトに密着するように係止され、これにより、簡単に、織りベルトバックルが組立てられ、織りベルトの挟みが強固で、ミシンで縫合や粘着を必要しない、外れる恐れがない織りベルトバックルが実現される。
【００１２】
上記のような、挟みシートの噛合いにより、簡単に当該織りベルトが組み立てられ、また、当該織りベルトバックルは、係合穴と係止突出により、より多い組合わせが得られるため、効果が明白的であり、また、本考案が刊行物に披露されることなく、公開に使用されることもなく、実用新案登録請求の要件を満たすため、法に従って出願する。
【図面の簡単な説明】
【００１３】
【図１】従来の織りベルトバックルの立体分解の概念図
【図２】従来のもう一つの織りベルトバックルの立体分解の概念図
【図３】図２の挟みシートの立体概念図
【図４】図２の組立ての断面概念図
【図５】本考案の立体分解の概念図
【図６】本考案の挟みシートの立体概念図
【図７】本考案の組立ての断面概念図
【符号の説明】
【００１４】
１            係合部
１１          插槽          
１２          織りベルトバックルリング
２            挿入部
２１          スライド      
２２          織りベルトバックルリング
３            織りベルトバックル
３１          挿入部        
３２          係合部
３１１、３２１         係合貫通穴
３３          挟みシート    
３３１        噛合い錐柱
３３２        係合ブロック  
３３３        係止穴
３３４        封止端        
３３５        開放端
４            織りベルト
５１          挿入部        
５２          係合部
５１１、５２１         係合貫通穴
５３          挟みシート
５３１        封止端
５３２        開放端        
５３３        噛合い凸塊
５３４        係合貫通穴    
５３５        係止突出
６            織りベルト
【図１】
0003113720.tif 000003
【図２】
0003113720.tif 000004
【図３】
0003113720.tif 000005
【図４】
0003113720.tif 000006
【図５】
0003113720.tif 000007
【図６】
0003113720.tif 000008
【図７】
0003113720.tif 000009